(57)【特許請求の範囲】
【請求項１】
上下に扉を有し、下側の扉には搬送ベルトの上昇面に対面して上下方向に連続するレール体と、そのレール体の表面を被覆する研磨布とを装着し、上側の扉には搬送ベルトの上昇面に対向して上下方向に連続する球案内溝を有する、もしくは球案内溝を有しない押圧板、搬送ベルトと同一材質の押圧板又は補助研磨性能を有する押圧板のみを装着した揚送研磨装置において、
上側の扉には前記搬送ベルトの幅よりもやや大きい幅を備えるとともに、その上側の扉の内面の幅方向両側に互いに対向して上側の扉の高さ方向に連続する、又は実質的に連続する摺動案内手段を設け、
前記押圧板は、前記上側の扉を開けた状態でその押圧板の幅方向両側部分を前記上側の扉の下方から前記両側の摺動案内手段に案内させて上方に摺動させることにより所定位置に装着することができ、
前記下側の扉を所定位置に閉鎖したときは、前記下側の扉のレール体により前記押圧板の脱落が阻止されること、
を特徴とする揚送研磨装置。
【請求項２】
上側の扉が搬送ベルトの幅よりもやや大きい幅を有する正面板と、その正面板の両側において背面側に直角に起立する側板とで横断面皿状に形成されており、
前記正面板の内面の両端部に互いに対向し、かつ、正面板の長手方向に連続する、又は実質的に連続する摺動案内手段が設けられており、
その摺動案内手段は、下端部が上側の扉の正面板の下端部から所定距離上側に離間した位置に存在しており、
前記押圧板は、その幅方向両側部分が前記上側の扉の両側の摺動案内手段に案内されて摺動し得る幅を有する球接触部と、その球接触部の下端部の両側において、前記上側の扉の摺動案内手段の下端部から上側の扉の正面板の下端部までの距離に対応する長さに渡って球接触部よりも大きい幅を有して、両側の摺動案内手段の下端部に当ったとき押圧板のそれ以上の上方向の摺動を阻止する拡幅部とを有すること、
を特徴とする請求項１に記載の揚送研磨装置。
【請求項３】
押圧板は、表裏反転して使用可能なものであることを特徴とする請求項１又は２に記載の揚送研磨装置。
【請求項４】
摺動案内手段が、それぞれ上側扉の正面板の幅方向端部に密着して固着されたスペーサ部材と、そのスペーサ部材の上面に固着された、前記スペーサ部材の幅よりも大きい幅を有する被覆板とからなり、
両側のスペーサ部材の間隔は、押圧板の球接触部の幅と等しく、両側の被覆板の間隔は押圧板の球接触部の幅よりも小さく、両側の被覆板と上側の扉の正面板との間に押圧板の両端縁を摺動させる凹条溝が形成されていること、
を特徴とする請求項１、２又は３に記載の揚送研磨装置。
【請求項５】
上側の扉の下端部にキャップが嵌合して装着され、
そのキャップは上側の扉の下端部から両側の被覆板の下端部と上側扉に装着された押圧板の拡幅部との間に挿入されてその拡幅部を上側の扉に押圧固定する押圧部と、前記押圧板の下端面を支持する支持部とを有し、
その支持部の表面は前記押圧板の表面と面一であること、
を特徴とする請求項４に記載の揚送研磨装置。
【請求項６】
上記キャップは、支持部から上側の扉の外側まで延出され、その延出された部分に上側の扉を開閉するための手掛け部を有していることを特徴とする請求項５に記載の揚送研磨装置。
【発明の詳細な説明】
【技術分野】
【０００１】
本発明は、遊技機から外れ玉として排除され、回収路を介して回収されてきた遊技球(すなわちパチンコ球。以下、単に球という。)を搬送ベルトにより揚送しながら研磨布により磨いた後、リサイクル補給用の上部タンクに排出する揚送研磨装置に関する。
【背景技術】
【０００２】
図１３は一般的な揚送研磨装置の概略的な縦断面図、図１４はその揚送研磨装置の研磨布の装着構造を示す搬送ベルトと扉の部分の横断面図、図１５は本出願人により先に改善された研磨布の装着構造を示す図１４に対応する横断面図、図１６は図１５のＤ−Ｄ線断面図である。
図１３に示す揚送研磨装置Ａは、横断面角型Ｕ字形の本体１内の上部に設けた従動プーリ２と下部に設けた駆動プーリ３及び中間の複数のテンションプーリ４により無端ベルトで構成される搬送ベルト５を張設するとともに、図１４に示すように、その本体１の開口面側、すなわち搬送ベルト５の上昇面側においてヒンジ及びロック（図示省略）により開閉可能に取付けた上下の扉６Ｕ,６Ｌの内面にレール体７を介して研磨布８を支持するとともに、その研磨布８にレール体７に形成されている複数条の縦の溝９に沿って複数条の球案内溝１０が形成してあり、扉６Ｕ,６Ｌを所定位置に閉じてロックした時は、回収位置まで回収された球Ｐが、シュータ１１を介して搬送ベルト５の下端部付近に設けてある球導入口から、モータ１２により所定方向に回転されている搬送ベルト５と研磨布８の間を、各球案内溝１０に沿って１列ずつ回転されながら揚送され、かつ、研磨されて搬送ベルト５の上端部からダクト１３を介して図外の上部タンクに排出されるように構成されている。
【０００３】
要約すると、上記揚送研磨装置は、モータにより所定方向に回転される搬送ベルトを支持する本体に対して開閉可能に取付けられた上下の扉を有し、各扉に、閉鎖時に前記搬送ベルトの上昇面に近接されて、その搬送ベルトとの間で球を回転させながら磨く研磨布を保持するとともに、その研磨布に球案内溝を形成する複数条の溝を備えたレール体を有するものである。
この揚送研磨装置において、球の揚送研磨を行なうために最も重要な構成要素は、搬送ベルト５と研磨布８である。搬送ベルト５は耐久性に優れているが、研磨布８は摩耗や汚れの付着などにより一定の期間ごとに交換が必要である。
【０００４】
従来装置における研磨布の装着構造は、図１４に上側の扉６Ｕについて示すように、表面に研磨布８を貼り付けたレール体７を、溝９と反対側の面(裏面)を直接に扉６Ｕの正面板６ａの裏面に接着又は溶着等１４により貼付けるものであった。下側の扉６Ｌにおける研磨布の装着構造も同様である。
【０００５】
上記のような研磨布の装着構造であるため、例えば、研磨布８の汚れが限度を超えたり、あるいはレール体７が球の激突により一部破損を生じたり摩耗したりした場合には、レール体のみを交換することができないので、扉全体を交換し又は廃棄していたため、経済性に問題があった。また、レール体７が単に扉６Ｕに接着などにより固定されていたので、とくに上下の扉６Ｕ,６Ｌのレール体７の繋ぎ目においては、下側の扉６Ｌのレール体の球案内溝から上側の扉６Ｕのレール体の球案内溝に移動する際にレール体に球Ｐから加わることがある力によりレール体７が上側の扉６Ｕから浮き上がることがあり、従って、球の円滑な上昇が妨げられ、搬送ベルト５と研磨布８の間にジャムする虞があった。
【０００６】
上記の点に鑑み、本件出願人は、特許文献１において、搬送ベルトを支持する本体に対して開閉可能に取付けられた上下の扉を有し、各扉は、閉められた状態で前記搬送ベルトの上昇面に近接されて、その搬送ベルトとの間で球を回転させながら磨く研磨布を保持するとともに、研磨布に球案内溝を形成する複数条の溝を備えたレール体を有する揚送研磨装置において、レール体に球から加わることがある力によりレール体が扉から浮き上がることを防止し、かつ、レール体に一部破損や摩耗を生じた場合に、低コストで簡単にメンテナンスができるようにするため、図１５,１６に示すように、レール体７の下端部に形成した係合溝１７に取付板１５の下端部に設けた係止金具１８を係合した状態で、レール体７を取付板１５に貼付け、各取付板を扉６にビス１６などの固着手段により着脱可能に固着することを特徴とする研磨布の装着構造を提案した。
【０００７】
この改善された研磨布の装着構造は、とくに扉が上下に設けられている場合に、各レール体の下端部に球が押圧力を加えることがあっても、レール体の浮き上がりが防止され、いずれかのレール体が破損等した場合は、当該扉から研磨布を取外し、固着手段を操作して取付板を扉から取外して、取付板とレール体のみを交換することができるという特長を有する。
【０００８】
しかしながら、研磨布８を交換する際は、扉６Ｕを本体１から取り外す作業と、取り外した扉６Ｕの固着手段を操作して取付板１５を扉６Ｕから取り外す作業と、その取付板及びレール体を新旧交換する作業と、固着手段を再び操作して取付板１５を扉６Ｕに固着する作業とが必要であるので、多くの手間ひまがかかるという問題がある。下側の扉６Ｌについても同様である。
【０００９】
本出願人は、特許文献２において、上下に扉を有する揚送研磨装置において、下側の扉には搬送ベルトの上昇面に対面して上下方向に連続するレール体と、そのレール体の表面を覆うように研磨布を装着し、上側の扉には搬送ベルトの上昇面に対面して上下方向に連続する球案内溝を有する、もしくは球案内溝を有しない弾性を備えた押圧板又は搬送ベルトと同一材質の押圧板のみを装着し、研磨布を装着しない新規な形態を開示し、その中で、下側の扉の内面に対する研磨布の装着を容易化するための新規な装着構造を提案した。しかし、上側の扉に対する押圧板の装着を容易化するための装着構造の提案を見送った。
【先行技術文献】
【特許文献】
【００１０】
【特許文献１】特許第４０８６１１号公報
【特許文献２】特開２０１０−１１５７４８号公報
【発明の概要】
【発明が解決しようとする課題】
【００１１】
従って、その時点における上側の扉における押圧板の装着構造は、図１５のレール体７及び研磨布８に代えて、これと同様に、押圧板が直接扉の正面板にビスなどの固着手段により固着されるものと想定される。従って、押圧板の交換に多くの手間ひまがかかるという問題は、未解決である。
【００１２】
また、従来の揚送研磨装置においては、上側の扉を開閉するためには、その扉の側端に突設されたボルトなどの軸を把持して行なっていたので、とくに高位置に取付けられる上側の扉の開閉に必要充分な力を加えにくく、扉の安定した開閉が容易でなかった。
【００１３】
本発明は、上記の点に鑑みてなされたものであり、解決しようとする第一の課題は、上下の扉を有し、下側の扉には搬送ベルトの上昇面に対向して上下方向に連続するレール体と、そのレール体の表面を覆うように研磨布を装着し、上側の扉には搬送ベルトの上昇面に対向して上下方向に連続する球案内溝を有する、もしくは球案内溝を有しない押圧板、搬送ベルトと同一材質の押圧板又は研磨布の補助的研磨を行なう押圧板のみを装着して、研磨布を装着しない揚送研磨装置において、前記押圧板の装着・交換を容易化することにある。
【００１４】
本発明の第二の課題は、上記上側の扉に対する押圧板の装着・交換を容易化するための構造を利用して、上側の扉を容易にかつ安定して開閉できるようにすることにある。
【課題を解決するための手段】
【００１５】
本発明は、上記目的を達成するため、上下に扉を有し、下側の扉の内面には搬送ベルトの上昇面に対面して上下方向に連続するレール体と、そのレール体の内面を被覆する研磨布とを装着し、上側の扉の内面には搬送ベルトの上昇面に対面して上下方向に連続する球案内溝を有する、もしくは球案内溝を有しない押圧板、搬送ベルトと同一材質の押圧板又は補助研磨性能を有する押圧板のみを装着した揚送研磨装置において、上側の扉には前記搬送ベルトの幅よりもやや大きい幅を備えるとともに、その上側の扉の内面の幅方向両側に互いに対向して上側の扉の高さ方向に連続する、又は実質的に連続する摺動案内手段を設け、前記押圧板は、前記上側の扉を開けた状態でその押圧板の幅方向両側部分を前記上側の扉の下方から前記両側の摺動案内手段に案内させて上方に摺動させることにより所定位置に装着することができ、前記下側の扉を所定位置に閉鎖したときは、前記下側の扉のレール体により前記押圧板の脱落が阻止されることを特徴としている（請求項１）。
上記構成により、本体に取り付けたままの上側の扉の両側の摺動案内手段に押圧板の幅方向両端部を嵌合させ、上方に押すと、押圧板は両側の摺動案内手段に案内されて摺動する。所定の位置まで摺動して装着すると、押圧板は両側の摺動案内手段との間の摩擦抵抗力により所定の位置に保持される。下側の扉が閉鎖位置にあるときは、押圧板は下側の扉のレール体にも支持される。また、装着された押圧板は、上側の扉を開けた状態で引き下げることにより上側の扉から取り外すことができる。
【００１６】
本発明の他の特徴は、上記上側の扉が搬送ベルトの幅よりもやや大きい幅を有する正面板と、その正面板の両側において背面側に直角に起立する側板とで横断面皿状に形成されており、正面板の内面の両端部に互いに対向し、かつ、正面板の長手方向に連続する、又は実質的に連続する摺動案内手段が設けられており、その摺動案内手段は、下端部が上側の扉の正面板の下端部から所定距離上側に離間した位置に存在しており、前記押圧板は、その幅方向両側部分が前記上側の扉の両側の摺動案内手段に案内されて摺動し得る幅を有する球接触部と、その球接触部の下端部の両側において、前記上側の扉の摺動案内手段の下端部から上側の扉の正面板の下端部までの距離に対応する長さに渡って球接触部よりも大きい幅を有して、両側の摺動案内手段の下端部に当ったとき押圧板のそれ以上の上方向の摺動を阻止する拡幅部とを有することである（請求項２）。
上記構成により、押圧板は、その球接触部の幅方向両端部の先端を本体に取り付けられたままの上側の扉の両側の摺動案内手段の下端部の間に合致させ、扉の上方に押し上げると、球接触部は両側の摺動案内手段に案内されて摺動し、所定の装着位置まで摺動すると、拡幅部が両側の摺動案内手段の下端部に当るのでそれ以上の上方向摺動を阻止される。
押圧板は、表裏反転して使用可能なものであることが望ましい（請求項３）。汚れた場合は、表裏反転して使用することにより使用期間が伸長するから、経済的である。
【００１７】
本発明の他の特徴は、前記摺動案内手段が、それぞれ上側扉の正面板の幅方向端部に密着して固着されたスペーサ部材と、そのスペーサ部材の上面に固着された、前記スペーサ部材の幅よりも大きい幅を有する被覆板とからなり、両側のスペーサ部材の間隔は、押圧板の球接触部の幅と等しく、両側の被覆板の間隔は押圧板の球接触部の幅よりも小さく、両側の被覆板と上側の扉の正面板との間に押圧板の両端縁を摺動させる凹条溝が形成されていることである（請求項４）。
上記の構成により、押圧板の球接触部の幅方向両端部を両側の凹条溝に案内させて、拡幅部がスペーサ部材に停止されるまで摺動させることにより、所定の位置に装着することができ、また、反対方向に引き出すことにより、取り外すことができる。
【００１８】
本発明のさらに他の特徴は、上側の扉の下端部にキャップが嵌合して装着され、そのキャップは上側の扉の下端部から両側の被覆板の下端部と上側扉に装着された押圧板の拡幅部との間に挿入されてその拡幅部を上側の扉に押圧固定する押圧部と、前記押圧板の下端面を支持する支持部とを有し、その支持部の表面は前記押圧板の表面と面一であることである（請求項５）。
上記の構成により、キャップを上側の扉の下端部に装着すると、押圧部が両側の被覆板の下端部と上側扉に装着されている押圧板の拡幅部との間に挿入されてその拡幅部を上側の扉に押圧固定する。従って、押圧板が自重で扉から脱落することを防止できる。
【００１９】
そして、上記キャップは、支持部から上側の扉の外側まで延出され、その延出された部分に上側の扉を開閉するための手掛け部を有していることを特徴としている（請求項６）。
上記の構成により、上側の扉に装着されているキャップの手掛け部を用いて、上側の扉を容易に開閉することができる。
【発明の効果】
【００２０】
請求項１の発明によれば、開けた状態の上側の扉の内面の両側に設けてある案内摺動手段に押圧板の両側端部を案内させ上方に押して摺動するだけで押圧板を所定の位置に装着することができ、また、装着されていた押圧板を下方に押して摺動するだけで取り外すことができるので、押圧板の交換を短時間で容易に行なうことができる。
【００２１】
請求項２の発明によれば、従来の揚送研磨装置において用いられている上下の扉と同一又は同様の構成を有する扉を用いて、押圧板の交換を短時間で容易に行なうことができる。請求項３の発明によれば、押圧板が汚れたときは、表裏反転して使用できるので、経済的である。
【００２２】
請求項４の発明によれば、押圧板の球接触部の幅方向両端部を開放されている上側の扉の両側の凹条溝に嵌合し案内させて、拡幅部がスペーサ部材に停止されるまで上向きに摺動させることにより、所定の位置に装着することができ、また、下向きに引き出すことにより、取り外すことができるので、押圧板の交換を迅速的確に行なうことができる。
【００２３】
請求項５の発明によれば、上側の扉に装着された押圧板が上側の扉を開けたときに自重などで不要に脱落することを防止することができる。
【００２４】
請求項６の発明によれば、キャップの手掛け部が常に上側の扉の外面に突出されているので、扉の開閉を容易に、かつ、安定して行なうことができる。
【図面の簡単な説明】
【００２５】
【図１】本発明に係る揚送研磨装置の正面図である。
【図２】同じく側面図である。
【図３】同装置の上側の扉の背面図である。
【図４】図３のＡ−Ａ線断面図である。
【図５】同扉を本体と押圧板に分離して示す図である。
【図６】図５の扉本体の底面図である。
【図７】図５のＢ−Ｂ線断面図である。
【図８】図５の本体に押圧板を装着した状態の下部の背面図である。
【図９】図３のＣ−Ｃ線断面図である。
【図１０】キャップの一例を示す斜視図である。
【図１１】本発明に係る揚送研磨装置の下側の扉の上部と上側の扉の下部の外観を示す斜視図である。
【図１２】図１１のクランプ部の断面図である。
【図１３】従来の揚送研磨装置の構成を概略的に示す縦断面図である。
【図１４】同揚送研磨装置の研磨布の装着構造を示す搬送ベルトと扉の部分の横断面図である。
【図１５】従来の他の研磨布の装着構造を示す搬送ベルトと扉の部分の横断面図である。
【図１６】図１３のＤ−Ｄ線断面図である。
【発明を実施するための形態】
【００２６】
続いて、本発明の実施の形態について図面を参照しながら説明する。従来装置の構成部材と共通する部材には同一符号を付す。
図１，２において、Ａは揚上研磨装置であり、横断面角型Ｕ字形の本体１の上部に設けられた従動プーリ２と本体１の下部に設けられた駆動プーリ３との間に中間のテンションプーリ４を介して無端ベルトからなる搬送ベルト５を巻回して張設し、駆動プーリ３の軸上に固着したプーリ１２aと、本体１の下部に設けられたモータ１２の回転軸上に固着したプーリ１２ｂの間に伝動ベルト１２ｃを巻回して、駆動プーリ３に回転力を与えるための駆動手段を備え、本体１の正面側、すなわち、搬送ベルト５の上昇面側に上側の扉６Ｕと下側の扉６Ｌとが、既知のヒンジ及びロック(図示省略)によりそれぞれ開閉可能に、かつ、ロック可能に取付けられており、本体１の下部には、各遊技台の下方を回収樋その他の回収部材により回収される球を受入れて、モータ１２により所定方向に回転される搬送ベルト５の上昇面の下端部と研磨布の間に流し込むシュータ１１が設けられ、また、本体１の上部には、回転される搬送ベルトの上昇面の上端部と研磨布との間から排出される球を上部タンク（不図示）に向けて放出するダクト１３が設けられている。
【００２７】
上側の扉６Ｕは、図３に示すように、扉本体60と、その扉本体に着脱可能に装着される押圧板70とからなっている。好ましい実施の形態においては、さらに、キャップ80も上側の扉６Ｕの付加要素となっている。
【００２８】
扉本体60は、閉鎖状態において本体１の開口面を閉鎖する正面板61と、その正面板の幅方向両端部から正面板の背面方向に直角に起立する側板62とを一体に有して、横断面形状が皿状に形成されている。その扉本体の内面側に、すなわち、正面板61と両側板62とに囲まれた部分に後述される押圧板70が装着される。
【００２９】
図示の例では、扉本体60に後述される下側の扉６Ｌの扉本体と同じものを利用しているが、下側の扉６Ｌに装着されるレール体及び研磨布の合計厚みは、上側の扉６Ｕに装着される押圧板70の厚みよりも厚いため、扉本体60に装着された状態の押圧板70の表面、すなわち、搬送ベルトに対向する面が、下側の扉６Ｌに装着される研磨布８の表面と共通の垂直面に存在させるため、正面板61の内面に厚みを確保(底上げ)する部材、例えば、角型波板63とその表面を平滑にするための平板64が溶接その他の方法で固着されている。角型波板63と平板64に代わる別の底上げ部材を用いても良い。このような底上げ部材は、補助的なものであり、下側の扉６Ｌの扉本体と異なるもの、すなわち、正面板61が平板64の位置に存在する扉本体60を用いる場合は、底上げ部材を備える必要はない。
特許請求の範囲において、上側の扉６Ｕの正面板の用語は、角型波板63と平板64からなる底上げ部材を有する上側の扉６Ｕにおいては、平板を意味する。
【００３０】
平板64又は底上げ部材を備えない場合は正面板61の幅方向両端部に、所定の厚みを有するスペーサ部材65が設けられている。この一対のスペーサ部材65は、扉本体の長手方向、すなわち、上下方向に連続又は実質的に連続するものであり、後述される押圧板70と等しい厚みを有し、対向するスペーサ部材65の対向面間距離は、後述される押圧板70の幅と等しく設定されている。また、扉本体60の下端面とスペーサ部材65の下端部との間は所定の距離が隔てられている。さらに、対向するスペーサ部材65の下端部に、斜め直線状又は湾曲状にカットして形成された末広がり状の案内面を有している。
【００３１】
各スペーサ部材65の上面には、扉本体60の長手方向に連続する、スペーサ部材65よりも幅が大きい被覆板66が、スペーサ部材65よりも扉本体の中央側に突出させた状態で、扉本体60にねじ込まれるビス、扉本体60に打ち込まれるリベット又は扉本体もしくはスペーサ部材に対する接着などにより取付けられている。これにより、平板64又は底上げ部材を備えない場合は正面板61の内面と被覆板66の間に、扉本体の長手方向に連続する凹条溝67が形成されている。そして、当然に、左右一対の被覆板66の対向面間距離は、後述される押圧板70の幅よりも小さく設定されている。さらに、被覆板66の下端部は、スペーサ部材65の下端部よりも若干下方に延出されている。従って、後述される押圧板70を装着する際に、被覆板66のその延出部分が押圧板70の上端部を凹条溝67に誘導案内するので、押圧板70の装着が容易になる。
【００３２】
上記スペーサ部材65及び被覆板66及びこれらによって形成される凹条溝67は、後述される押圧板70を案内して摺動する案内摺動手段を構成する一例である。案内摺動手段が凹条溝67を有するものである場合は、押圧板70の幅方向端部は、その凹条溝に嵌合して摺動可能な形状を備える。案内摺動手段は、凹条溝67に代えて凸条を有するものとすることもでき、その場合は、押圧板70の幅方向端部はその凸条に嵌合して摺動可能な形状を備えることになる。
【００３３】
図３に示された押圧板70は、図５（b）に示すように、扉本体の長さと等しい長さを有し、上記扉本体の案内摺動手段に案内され摺動される球接触部71と、その球接触部71の下端部の両側に設けられた拡幅部72とを有して、概略逆Ｔ字形を呈している。そして、全長にわたって厚みが均一な薄板状に形成され、図示の例では、案内摺動手段のスペーサ部材65の厚み、すなわち、凹条溝67の開口幅と等しい厚みを有する。拡幅部72は、扉本体60の下端部からスペーサ部材65の下端部までの距離と等しい長さを有し、両側の拡幅部の外端部間の距離、すなわち、押圧板70の下端部の幅は、扉本体60の両側の側板62の対向面間距離と等しく設定されている。
【００３４】
上記の構成により、押圧板70は上側の扉６Ｕを開放位置に保ち、その扉の下方から押圧板70の球接触部71の上端部を被覆板66と扉本体60の平板64との間に挿入すると、その球接触部71の上端部がスペーサ部材65の下端部の案内面に誘導されて、容易に案内摺動手段の両側のスペーサ部材65の端部の凹条溝67に位置合せをすることができ、そのまま押圧板70を上方に押し上げて、球接触部71の幅方向両端部を案内摺動手段の凹条溝67に案内させ、摺動させることができる。そして、押圧板70が所定の位置まで摺動されると、拡幅部72が扉本体60の下部の拡幅部68に嵌合し、かつ、スペーサ部材65の下端部にそれ以上の摺動を阻止されるので、押圧板70は所定の位置に装着される。
【００３５】
上側の扉６Ｕの主たる目的は、下側の揚送・研磨行程を通過した球を搬送ベルトの上端部まで揚送することにあるから、押圧板70は下側の扉から揚送される球に搬送ベルトと協働して搬送力を与える程度の適度な力で押圧することができる材質で作られていれば良い。
【００３６】
しかし、揚送される球は、下側の扉６Ｌに装着された研磨布８と搬送ベルト５の作用により研磨されて、付着していた汚れ等はほぼ除去されるが、汚れの一部が除去されずに残る場合があり、研磨により新たに金属微粉等が付着したりすることがあるので、上側の扉６Ｕにおいてさらに良く除去するため、押圧板70には、補助的な研磨性能を有する材質のものが使用される場合もある。そのような材質には、研磨布よりも研磨性能の小さい、例えば、合成皮革や不織布が適している。ウレタンゴムやＰＥＴ(ポリエチレンテレフタレート)などで成形された球案内溝を有する、又は有しない押圧板を用いることもできる。なお、押圧板70が汚れた際には、表裏を反転して使用すれば、経済的である。
【００３７】
図1、２、３、９、10の符号80は、上側の扉６Ｕの下端部に装着されたキャップである。キャップ80は、押圧板70が自重又は揚送研磨装置の運転に伴い発生する振動などにより扉本体60から脱落することを防止したい場合に、用いられる。本発明の好ましい実施の形態においては、キャップ80に、押圧板70の脱落防止のほか、上側の扉６Ｕの開閉作業を容易にできるようにした付加構成を備えている。
【００３８】
さらに詳述すると、キャップ80は、可及的に軽量で適度の剛性を有する材料、好ましくは合成樹脂で成形してなっており、上側の扉６Ｕの扉本体60の下端面の厚み、すなわち、正面板61の表面から平板64の表面までの距離と押圧板70の厚みの合計に等しい幅を有する支持部81と、その支持部81の幅方向一端部において支持部81の全長に渡ってその支持部に直角な方向に延びる被覆部82と、支持部81の長手方向両端部の支持部81の幅方向他端部において被覆部82と同一側に被覆部82と平行に伸びる、押圧板の拡幅部72を平板64に押し付ける押圧部83と、被覆部82の支持部側以外の３辺に沿って下向きの端縁を形成してなる手掛け部84とを一体に有している。そして、支持部81と被覆部82と押圧部83との間に押圧部の延長方向に開口する嵌合溝85が形成されている。
【００３９】
キャップ80を用いる場合は、そのキャップの案内摺動手段(65,66)に対する保持性を高め、押圧板70に対する押さえを確実にするため、第一に、押圧部83の長さを扉本体60の下端面からスペーサ部材65の下端部までの距離にほぼ等しくし、その押圧部83の先端側は、被覆板66の下端部がスペーサ部材の下端部から延出する長さとほぼ等しい長さに渡って表面側が肉取りにより薄肉に形成されている。第二に、図７に示すように、被覆板66のスペーサ部材65の下端部から延出する部分を、裏面側において肉取りにより薄肉に形成してある。
【００４０】
上記構成により、キャップ80は、押圧板70が図８に示すように上側の扉６Ｕの所定位置に装着された後に、上側の扉６Ｕの下側から上方に移動し、両側の押圧部83の先端を図９に示すように上側の扉６Ｕの押圧板70と被覆板66との間に挿入し、かつ、キャップ80の嵌合溝85に扉本体60の正面板61から平板64まで、及びその平板64に密着されている押圧板70を嵌合しながら、キャップ80の支持部81に上側の扉６Ｕの下端面及び押圧板70の下端面が当接してキャップ80のそれ以上の移動が止められると，そのキャップの装着が終了し、押圧板70は幅方向両端部の拡幅部72において、キャップの押圧部83によりしっかり扉本体60に押さえられて、固定される。
【００４１】
キャップ80の手掛け部84は、揚送研磨装置Ａの本体１の背面側に突設されているので、これに手を掛けて容易にかつ安定して上側の扉６Ｕの開閉動作を行なうことができる。
【００４２】
本発明に係る揚送研磨装置Ａは、上述された上側の扉に備えられた押圧板の装着構造を有するので、遊技島の一定の営業期間ごとに、すなわち、押圧板の汚れが所定の程度になる期間ごとに、上側の扉６Ｕを開け、キャップ80を下方に引いて取り外し、続いて、押圧板70を引き下げて上側の扉６Ｕから取り外し、新しい押圧板70を両側の案内摺動手段に案内させ、押し上げて摺動することにより、容易に押圧板を取り替えることができる。その押圧板の取り替えコストは、図１５に示された従来のレール体の装着構造を採用する場合の四分の一で済む。
【００４３】
下側の扉６Ｌは、図１５に示した研磨布装着構造を有するものを用いても良いが、押圧板の交換を容易にできるように改良した上記本発明の実施の形態に適合する研磨布装着構造としては、特許文献２に記載された巻取り・巻き戻しタイプのロール状研磨布をクランプを用いて順次更新するものであっても良く、さらに、構成を簡単化して、研磨布の更新が容易にできる研磨布装着構造として、図１１に例示した研磨布装着構造が望ましい。
【００４４】
すなわち、下側の扉６Ｌは、図１４及び図１５に示された扉６Ｕと同様の横断面形状を有する扉本体61の内面に球案内溝を有するレール体(図１１では図示省略)を固着手段により着脱可能に固定し、そのレール体の表面を扉本体61の長さ(高さ)よりも長いロール状又は帯状の研磨布８で被覆し、その研磨布８の扉本体61の上端部から外側下方に折り返した端部８aを扉本体61の外面上部に取付けた既知のクランプ90により、研磨布を緊張させた状態で挟持している。
【００４５】
クランプ90は、特許文献２に記載されたもの、又はその類似物を用いることができる。すなわち、クランプ90は、図１２に示すように、扉本体61に固定された台座91上に取付けられている。クランプ90は、台座91に取付けられる扉本体61の幅よりもやや大きい幅を有する受圧板92と、その受圧板92の両端部に突設された支持片93と、両支持片に又は各支持片に軸94により回転可能に軸支された断面形状が偏心カム状に形成された１本の又は2本の押圧部材95と、両押圧部材95に連結された、押圧部材95を回転させるための操作部材96とから成っている。受圧板92と押圧部材95の一方又は双方がその間に挟持された研磨布８を静止させることができる摩擦係数を有する材質で形成されている。
【００４６】
そして、操作部材96を所定方向、例えば上方に回すと、受圧板92と押圧部材95との間に隙間が形成され、その隙間に下側の扉６Ｌの上端部から折り返された研磨布８を通し、その研磨布を引き下げて緊張させた後、操作部材96を反対方向、例えば下方に強く回すと、その研磨布が受圧板92と押圧部材95との間に挟持されるとともに、操作部材96がその位置に固定される。
【００４７】
研磨布８の下側の扉６Ｌの下端部から外側上方に折り返した端部も、下側の扉６Ｌの扉本体61の外面下部に取付けた同様のクランプ90により、研磨布８を緊張させた状態で挟持している。
【００４８】
このようにして、下側の扉６Ｌに対して研磨布８を適切な状態で装着した後、下側の扉６Ｌを所定の位置に閉め、ロックすると、その下側の扉６Ｌの扉本体61の上端面、レール体及び研磨布の折り返し部分の上端面が図９のキャップ80の支持部81の下端面に密着し、その研磨布の表面、すなわち、研磨面と上側の扉のキャップ80の支持部81の端面と押圧板70の表面とが段差を生じさせずに連続する。従って、下側の扉６Ｌにおいて搬送ベルトと研磨布の間を揚送・研磨される球は、円滑に上側の扉６Ｕの搬送ベルトと押圧板70の間に進入し、揚送（押圧板70が補助的研磨性能を有する場合は、揚送と補助的研磨）される。
【符号の説明】
【００４９】
Ａ    揚送研磨装置
１    本体
６Ｕ  上側の扉
６Ｌ  下側の扉
７    レール体
８    研磨布
60    扉本体
61    正面板
62    側面板
63,64  底上げ部材
64    平板
65,66  案内摺動手段
65    スペーサ部材
66    被覆板
67    凹条溝
70    押圧板
71    球接触部
72    拡幅部
80    キャップ
81    支持部
82    被覆部
83    押圧部
84    手掛け部
85    嵌合溝
【図１】
0005525949.tif 000002
【図２】
0005525949.tif 000003
【図３】
0005525949.tif 000004
【図４】
0005525949.tif 000005
【図５】
0005525949.tif 000006
【図６】
0005525949.tif 000007
【図７】
0005525949.tif 000008
【図８】
0005525949.tif 000009
【図９】
0005525949.tif 000010
【図１０】
0005525949.tif 000011
【図１１】
0005525949.tif 000012
【図１２】
0005525949.tif 000013
【図１３】
0005525949.tif 000014
【図１４】
0005525949.tif 000015
【図１５】
0005525949.tif 000016
【図１６】
0005525949.tif 000017